(57)【特許請求の範囲】
【請求項１】
帽体の前面開放部を開閉するシールドを備えたヘルメットであって、前記帽体の側部に前記シールドを開閉方向に回転自在、且つ着脱自在に支持すると共に、前記シールドの全閉から全開にわたる回転による開閉動作を案内する第１ガイド部、及び第２ガイド部と、前記シールドの支持の解除操作を行う解除操作子と、を設けたシールド支持部を具備し、
前記第１ガイド部、及び前記第２ガイド部は、夫々、前記シールドの回転軸と平行な軸を有する案内部と、前記案内部と連結され、該案内部とで前記シールドの開閉動作を案内する連結案内部とを有し、
前記第２ガイド部の前記案内部と前記連結案内部の連結は、前記案内部に設けられ、前記連結案内部に掛合して、連結状態を保持する連結保持部により保持され、前記案内部と前記連結案内部の連結解除は、前記第２ガイド部の前記案内部と前記連結案内部の連結解除後に、前記シールドを、前記案内部を回転軸とし、任意に設定された解除位置まで回転させることで、前記連結保持部の前記連結案内部に対する掛合が解除されるようにされ、
前記解除操作子は、前記シールドと前記シールド支持部との間に嵌入される解除部を有し、前記解除部が前記解除操作子の解除操作に伴なって、前記シールドを前記帽体の外方へ押し拡げることで、前記第１ガイド部の前記案内部と前記連結案内部の連結を、前記案内部の軸方向に沿って解除するようにされていることを特徴とするヘルメット。
【請求項２】
前記シールドの回転範囲内に、任意に設定された所定回転角度の範囲内で、前記解除操作子の解除操作を制限する解除阻止部を備えていることを特徴とする請求項１記載のヘルメット。
【請求項３】
前記解除操作子の前記解除動作に対して該解除動作前の位置に復帰する方向へ付勢する付勢部と、前記解除操作子の前記解除動作により、前記解除部がシールドを押し上げて、一方の前記案内部と前記連結案内部との連結が解除された位置で、前記付勢部の付勢力に抗して前記解除操作子の復帰動作を阻止する復帰阻止部と、一方の前記案内部と前記連結案内部の連結解除後の、前記シールドの他方の前記案内部を回転軸とする回転で、前記復帰阻止部の阻止を解除する復帰阻止解除部と、を備えていることを特徴とする請求項１又は２記載のヘルメット。
【発明の詳細な説明】
【技術分野】
【０００１】
本発明は、シールドを着脱自在に備えたヘルメットに関する。
【背景技術】
【０００２】
シールドを着脱自在に備えたヘルメットは、下記特許文献１に記載のように、シールドの開動作に伴なって、ベースプレートとシールド押えカバーとで形成された開口部から突出するように配された操作レバーを回転操作することで、シールド押えカバーを外方に押し拡げると共に、シールド押えカバーと支軸の頂点との間にシールドを通過可能とする隙間を形成して、シールドの取付部を支軸の頂点に至らせることにより、シールドを取り外すようにしたものが知られている。
【先行技術文献】
【特許文献】
【０００３】
【特許文献１】特開２０００-２２００２４号公報
【発明の概要】
【発明が解決しようとする課題】
【０００４】
特許文献１に記載のヘルメットによると、操作レバーの操作によって、シールドの取り外し作業が容易、且つ迅速に行うことができるが、本発明者は、シールドの取り外し作業の容易性、及び迅速性を備えた上で、シールドの取り外し作業の確実性の更なる向上を図るということから、本発明に至ったものである。
【０００５】
すなわち、本発明は、シールドの取り外し作業の容易性、及び迅速性を備えた上で、取り外し作業の確実性の更なる向上が目的である。
【課題を解決するための手段】
【０００６】
このような目的を達成するために、本発明によるヘルメットは、以下の構成を少なくとも具備するものである。
【０００７】
帽体の前面開放部を開閉するシールドを備えたヘルメットであって、前記帽体の側部に前記シールドを開閉方向に回転自在、且つ着脱自在に支持すると共に、前記シールドの全閉から全開にわたる回転による開閉動作を案内する第１ガイド部、及び第２ガイド部と、前記シールドの支持の解除操作を行う解除操作子と、を設けたシールド支持部を具備し、前記第１ガイド部、及び前記第２ガイド部は、夫々、前記シールドの回転軸と平行な軸を有する案内部と、前記案内部と連結され、該案内部とで前記シールドの開閉動作を案内する連結案内部とを有し、前記第２ガイド部の前記案内部と前記連結案内部の連結は、前記案内部に設けられ、前記連結案内部に掛合して、連結状態を保持する連結保持部により保持され、前記案内部と前記連結案内部の連結解除は、前記第２ガイド部の前記案内部と前記連結案内部の連結解除後に、前記シールドを、前記案内部を回転軸とし、任意に設定された解除位置まで回転させることで、前記連結保持部の前記連結案内部に対する掛合が解除されるようにされ、前記解除操作子は、前記シールドと前記シールド支持部との間に嵌入される解除部を有し、前記解除部が前記解除操作子の解除操作に伴なって、前記シールドを前記帽体の外方へ押し拡げることで、前記第１ガイド部の前記案内部と前記連結案内部の連結を、前記案内部の軸方向に沿って解除するようにされていることを特徴とするヘルメットである。
【図面の簡単な説明】
【０００８】
【図１】本発明に係る第１実施形態のヘルメットの側面図であり、シールドの全閉状態を示す。
【図２】図１の要部拡大図である。
【図３】図２の（III）-（III）線断面図であり、解除操作子の解除操作前の状態を示す。
【図４】図２の（IV）-（IV）線断面図である。
【図５】図２において、シールドの開方向への回転途中状態を示す。
【図６】図２において、シールドが着脱操作位置（シールドの全開位置）まで回転した状態を示す。
【図７】図６において、解除操作子を解除方向へスライドさせた状態を示す。
【図８】図７の（VIII）-（VIII）線断面図である。
【図９】図７において、シールドを着脱位置に回転した状態を示す。
【図１０】本発明に係る第２実施形態のヘルメットの要部拡大側面図であり、（ａ）は、シールドの全閉状態を示す。（ｂ）は、シールドの第１回転を示す。（ｃ）は、シールドの第２回転を示し、シールドの全開状態を示す。（ｄ）は、シールドを着脱位置に回転した状態を示す。
【図１１】本発明に係る第３実施形態のヘルメットの要部拡大側面図であり、（ａ）は、シールドの全閉状態を示す。（ｂ）は、シールドの全開状態を示す。（ｃ）は、シールドを着脱位置に回転した状態を示す。
【発明を実施するための形態】
【０００９】
本発明の前記第２ガイド部の前記案内部と前記連結案内部の連結は、前記案内部に設けられ、前記連結案内部に掛合して、連結状態を保持する連結保持部により保持され、前記案内部と前記連結案内部の連結解除は、前記第２ガイド部の前記案内部と前記連結案内部の連結解除後に、前記シールドを、前記案内部を回転軸とし、任意に設定された解除位置まで回転させることで、前記連結保持部の前記連結案内部に対する掛合が解除されることが好ましい。
【００１０】
また、前記シールドの回転範囲内に、任意に設定された所定回転角度の範囲内で、前記解除操作子の解除操作を制限する解除阻止部を備えていることが好ましい。
【００１１】
また、前記解除操作子の前記解除動作に対して該解除動作前の位置に復帰する方向へ付勢する付勢部と、前記解除操作子の前記解除動作により、前記解除部がシールドを押し上げて、一方の前記案内部と前記連結案内部との連結が解除された位置で、前記付勢部の付勢力に抗して前記解除操作子の復帰動作を阻止する復帰阻止部と、一方の前記案内部と前記連結案内部の連結解除後の、前記シールドの他方の前記案内部を回転軸とする回転で、前記復帰阻止部の阻止を解除する復帰阻止解除部とを備えていることが好ましい。
【００１２】
以下で説明するヘルメットは、着用者の顔面の顎部を除く部分が露出する前面開放部（前面開口部）を備えたフルフェースヘルメット、着用者の顔面の全てが露出するタイプのオープンフェースヘルメットが含まれる。
【００１３】
以下で説明する帽体は、ヘルメットの最外層を構成するものであり、強化繊維材(ガラス繊維、カーボン繊維等)に、熱硬化性樹脂材(エポキシ樹脂材、フェノール樹脂材等)を含浸させた強化繊維樹脂材（ＧＦＲＰ、ＣＦＲＰ等）又は、熱可塑性樹脂材（ポリカーボネート等）を用いて、フルフェースヘルメット形状及びオープンフェースヘルメット形状に成型したものである。
【００１４】
以下で説明するシールドは、透明または有色透明、且つ弾性を有する熱可塑性樹脂材（ポリカーボネート等）を用いて所定形状に形成されたものである。
【００１５】
以下では、前面開放部側を前方向とすると共に、この前面開放部と対面するヘルメットの後頭部側を後方向とする。また、この前後方向に対して平面方向で直交する方向を左右方向とすると共に、前後方向又は左右方向に対して鉛直方向に交差する方向を上下方向とする。
【００１６】
以下、本発明の第１実施例に係るヘルメットＡを図１〜図９に基づいて説明する。本実施形態で例示するヘルメットＡは、フルフェースヘルメットである。尚、以下で説明する実施形態は、本発明を限定するものではない。
【００１７】
ヘルメットＡは、帽体Ａ１と、この帽体Ａ１の内側面に配された衝撃吸収ライナー（図示せず）と、この衝撃吸収ライナーの内側面及び帽体Ａ１の内側に配されたクッション体（図示せず）とを備え、帽体Ａ１の外側の左右両側部にシールド１が、シールド支持装置Ｂを介して帽体Ａ１の前面開放部Ａ２を開閉する方向に回転可能に軸支されている。
【００１８】
前述の衝撃吸収ライナーは、衝撃吸収性能を有する素材(例えば、発泡スチロール材)、若しくは、この素材と同等の衝撃吸収性能を有する素材を用いて、帽体Ａ１の内側面と、着用者の頭部との空間を充たす形状に成形したものである。
【００１９】
以下、シールド１のシールド支持装置Ｂを具体的に説明する。シールド支持装置Ｂは、帽体Ａ１の側部に取り付けられたベースプレート（シールド支持部）Ａ３を介して、シールド１を開閉方向に回転自在に支持すると共に、シールド支持装置Ｂの一部を構成する着脱機構Ｃを介してシールド１を着脱自在に支持するものである。
【００２０】
また、シールド支持装置Ｂは、シールド押えカバーＢ１を帽体Ａ１の側面に支持すると共に、着脱機構Ｃの操作によって離脱できるようにされている。
【００２１】
シールド押えカバーＢ１は、ベースプレートＡ３に対し、連結紐１００を介して接続されており、シールド押えカバーＢ１が帽体Ａ１から離脱したときに、連結紐１００によってベースプレートＡ３に吊り下げられる状態で保持されるようになっている。
【００２２】
シールド支持装置Ｂは、着脱機構Ｃと、シールド１の全閉から全開にわたる回転による開閉動作を案内する第１ガイド部２、及び第２ガイド部３とを備えており、シールド１が第１ガイド部２、及び第２ガイド部３で案内されながら、帽体Ａ１の側部側、且つシールド１の上端よりも上方に位置する仮想回転中心Ｐを中心として、帽体Ａ１の表面に沿うように開閉方向に回転するようにされている。
【００２３】
被支持部１０は、シールド１の全閉状態において、被支持部１０の上端がシールド押えカバーＢ１の上端から露出しない上下幅として形成されている。
【００２４】
この被支持部１０は、ベースプレートＡ３に設けられた押え板（連結保持部）Ａ４とベースプレートＡ３の表面との間に嵌入され、この押え板Ａ４によって、シールド１の開閉動作時に、第１ガイド部２、及び第２ガイド部３による被支持部１０の連結状態を保持される。
【００２５】
ここで、第１ガイド部２、及び第２ガイド部３の案内による、仮想回転中心Ｐを中心とするシールド１の開閉を案内する案内構造、及び開閉動作を説明する。
【００２６】
第１ガイド部２は、ベースプレートＡ３に設けられた不動案内部（案内部）２０と、シールド１側に設けられたガイドレール部（連結案内部）２１とから構成され、このガイドレール部２１が不動案内部２０に嵌合状に連結するようにされている。
【００２７】
不動案内部２０は、帽体Ａ１の側部に取り付けられたベースプレートＡ３に左右方向外側に向けて突設された軸状のものである。
【００２８】
ガイドレール部２１は、シールド１の開閉方向の回転軌跡に沿う形状の弧状に開孔された長孔状のものであり、不動案内部２０に嵌合して連結されることで、この不動案内部２０に支持されながら、ガイドレール部２１の弧に沿うシールド１の開閉方向への回転を案内するようになっている。
【００２９】
不動案内部２０には、シールド１の全閉から全開までの範囲で、不動案内部２０のガイドレール部２１に対する連結状態を保持する掛合片（連結保持部）２０Ａが形成されている。
【００３０】
掛合片２０Ａは、不動案内部２０の径方向に沿って、ガイドレール部２１の縁の外側に突出するように形成され、ガイドレール部２１の周りの面に接触することで、不動案内部２０のガイドレール部２１に対する嵌合状態を保持するようにされている。
【００３１】
ガイドレール部２１の後方側の端部には、ガイドレール部２１に対する掛合片２０Ａの掛合を解除する掛合解除部２１０が確保されている。
【００３２】
掛合解除部２１０は、ガイドレール部２１の一部を構成するように、ガイドレール部２１の縁から連続すると共に、ガイドレール部２１の弧部分の幅以上の幅、且つ図９に示すように、シールド１を取り外すために、シールド１を閉方向に回転させたときに、掛合片２０Ａが掛合解除部２１０の幅内に収まる幅として形成されている。
【００３３】
このような掛合解除部２１０によって、図９に示すように、シールド１を取り外すために、シールド１を閉方向に回転させたときにのみ、掛合片２０Ａのガイドレール部２１に対する掛合を解除することができると共に、シールド１を帽体Ａ１から取り外すことができる。
【００３４】
第２ガイド部３は、シールド１の内側面（帽体Ａ１と対向する面）に設けられた可動案内部（案内部）３０と、帽体Ａ１の側部に設けられた支持レール部（連結案内部）３１とから構成され、可動案内部３０が支持レール部３１に嵌合することで連結するようにされている。
【００３５】
可動案内部３０は、シールド１に左右方向内側（帽体Ａ１側）に向けて突設された軸状のものである（図３参照）。
【００３６】
支持レール部３１は、不動案内部２０とガイドレール部２１とによるシールド１の開閉方向の回転を支持する形状の弧状に設けられた長溝部３１Ａと、この長溝部３１Ａの前端に連設された屈曲部３１Ｂとから構成されている。
【００３７】
このような支持レール部３１に可動案内部３０が係合することで、この可動案内部３０を支持しながら、ガイドレール部２１の弧に沿うシールド１の開閉方向への回転を支持するようなっている。
【００３８】
この第２ガイド部３が、ガイドレール部２１の弧に沿うシールド１の開閉方向への回転を支持することによって、シールド１の開閉時における回転時に、不動案内部２０を軸心とするシールド１の回転を防止して、仮想回転中心Ｐを中心とするシールド１の開閉方向の回転を正常に行わせることができる。
【００３９】
支持レール部３１の長手方向の長さは、シールド１が全閉状態であるときに（図２参照）、長溝部３１Ａの後方側の端部に可動案内部３０が接触することによって、シールド１の全閉状態以上の閉方向の回転を阻止し、シールド１が全開状態であるときに（図６参照）、屈曲部３１Ｂの前方側の端部に可動案内部３０が接触することによって、シールド１の全開状態以上の開方向の回転を阻止する長さである。
【００４０】
長溝部３１Ａは、弧状に形成されており、この弧に沿って可動案内部３０が移動させることによって、シールド１の開閉方向の回転操作をスムースにできるようになっている。
【００４１】
屈曲部３１Ｂは、下向き傾斜するように形成されている。この屈曲部３１Ｂの下向き傾斜方向は、シールド１の開方向の回転途中（図５参照）からシールド１の全開位置（図６参照）に至る範囲において、シールド１の前方側が帽体Ａ１の表面に近接する移動に沿って可動案内部３０を移動させる方向である。
【００４２】
前述では、ガイドレール部２１の全部（全長）が、仮想回転中心Ｐの移動を案内する方向に設定されているが、ガイドレール部２１の一部を、仮想回転中心Ｐの移動を案内する方向に設定してもよい。
【００４３】
また、前述では、支持レール部３１の前端側を、シールド１の回転動作に伴なって仮想回転中心Ｐを大きく移動させるように、可動案内部３０を案内する方向とする屈曲部３１Ｂとして設定されているが、屈曲部３１Ｂを備えず、支持レール部３１の全部（全長）をシールド１の回転動作に伴なって、仮想回転中心Ｐを移動させながら可動案内部３０を案内する方向に設定してもよい。
【００４４】
また、前述では、長溝部３１Ａの形状を弧状として示しているが、この形状は、シールド１の回転動作に伴なって仮想回転中心Ｐを移動させながら可動案内部３０を案内できる形状であればよい。
【００４５】
また、前述では、シールド１の開閉方向の回転において、仮想回転中心Ｐが移動する構成としているが、シールド１の開閉方向の回転において、仮想回転中心Ｐを移動させない構成としてもよい。
【００４６】
このような第１ガイド部２及び第２ガイド部３によると、従来のようなシールドを支持する支持軸を必要とせずにシールド１を正常に開閉方向に回転させることができる。
【００４７】
以上のシールド支持装置Ｂによると、シールド１の回転中心を帽体Ａ１の側部に設定された仮想回転中心Ｐとし、この仮想回転中心Ｐよりも下方に、シールド１の開閉方向の回転を案内支持する第１ガイド部２及び第２ガイド部３を設けたので、ヘルメットＡの着用者のこめかみに相当する部位の厚みを確保できると共に、ヘルメットＡの側部における凹部Ａ６の面積を減少することができる。
【００４８】
しかも、ベースプレートＡ３に着脱機構Ｃを配置しても、従来のような着用者のこめかみ部分に至る面積のベースプレートに比べても小さいベースプレートＡ３を使用できるので、シールド押えカバーＢ１の面積も従来のものと比べて小さくできる。これによって、シールド押えカバーＢ１を要因とする走行中の風切音の低減ができると共に、ヘルメットＡの軽量化やデザイン性の向上が期待できる。
【００４９】
次に、着脱機構Ｃのシールド１の着脱構造、及び着脱機構Ｃによるシールド１の着脱動作を具体的に説明する。
【００５０】
着脱機構Ｃは、シールド１、及びシールド押えカバーＢ１の支持の解除操作を行う解除操作子４を備えており、この解除操作子４がベースプレートＡ３に設けられた案内溝４０にスライド自在に支持されている。
【００５１】
解除操作子４は、先端（支持レール部３１側の端部）に解除部４Ａを有すると共に、後端に操作体４Ｂを有している。
【００５２】
更に、解除操作子４は、解除操作子４のスライド方向中央の一方の縁部に、シールド押えカバーＢ１を支持、及び支持解除するカバー支持部４Ｃを有すると共に、解除操作子４のスライド方向中央の他方の縁部に、解除操作子４の解除方向のスライドに対して、解除操作子４を非解除方向（解除操作前の方向）へスライドさせるように付勢を加えるバネ部（付勢部）４Ｄを有し、且つ、外方側の面に、解除操作子４の解除方向へのスライドを制限する解除阻止部４Ｅを有している。
【００５３】
また、解除操作子４は、弧状に形成されており、操作体４Ｂを押動操作することによって、弧に沿ってスライドして解除部４ＡがベースプレートＡ３と被支持部１０との間に嵌入するようにされている。
【００５４】
案内溝４０は、解除操作子４の先端が支持レール部３１の屈曲部３１Ｂの先端と対向し、この屈曲部３１Ｂの先端に対し接離する方向に解除操作子４をスライド自在に案内するように、解除操作子４の弧に沿う形状として形成されている。
【００５５】
案内溝４０は、解除部４Ａ側の端（後方端）から操作体４Ｂ側の端（前方端）までの長さが、解除操作子４の長さよりも短くされ、案内溝４０の両端の夫々から解除部４Ａ、操作体４Ｂが露出するようにされている。
【００５６】
解除部４Ａは、解除操作子４の先端を帽体Ａ１の外方側に突出させて形成された段差状のものであり、解除操作子４の解除方向へのスライドで、解除部４ＡがベースプレートＡ３と被支持部１０との間に嵌入したときに、被支持部１０を帽体Ａ１の外方に押し拡げることによって、可動案内部３０を支持レール部３１から抜き取ることができる（図３、図７、図８参照）。
【００５７】
この状態で、シールド１を、不動案内部２０を回転中心として閉方向に回転させて、可動案内部３０をベースプレートＡ３上に設定された解除位置Ｐ１に移動させることによって、被支持部１０が押え板Ａ４から抜け出て、押え板Ａ４による保持が解除され、これによって、不動案内部２０から被支持部１０を抜き取ることができると共に、この操作を左右同時に行うことで、シールド１を帽体Ａ１から取り外すことができる（図９参照）。
【００５８】
解除位置Ｐ１には、可動案内部３０が嵌入する凹部Ｐ１０が形成されており、可動案内部３０が解除位置Ｐ１に移動したときに、この可動案内部３０が凹部Ｐ１０に嵌入するようにされている。
【００５９】
凹部Ｐ１０は、シールド１を取り付けるときの位置決め、及び案内として機能するようにされている。すなわち、シールド１を帽体Ａ１に取り付けるとき、不動案内部２０にガイドレール部２１に嵌合すると共に、可動案内部３０を凹部Ｐ１０に嵌入することによって、図９に示す状態にすることができ、この状態からシールド１を、不動案内部２０を回転中心として開方向に回転させることによって、図６に示すように、可動案内部３０を凹部Ｐ１０から脱出させると共に、支持レール部３１に嵌合させることができる。
【００６０】
凹部Ｐ１０には、図５、図６に示す状態で、不動案内部２０を回転中心とするシールド１の回転による可動案内部３０の移動軌跡に沿う傾斜面Ｐ１１が形成されている。この傾斜面Ｐ１１は、凹部Ｐ１０の底側から厚み方向に沿って支持レール部３１側に向かうように形成されており、可動案内部３０を凹部Ｐ１０に嵌入させるときには、傾斜面Ｐ１１で案内して嵌入するようにされ、可動案内部３０を凹部Ｐ１０から脱出させるときには、傾斜面Ｐ１１で案内して凹部Ｐ１０を乗り越えるように脱出できるようにされている。
【００６１】
ベースプレートＡ３には、解除操作子４の解除方向へのスライド方向に向かって高さが高くなるように、ベースプレートＡ３の厚み方向に傾斜する傾斜面Ａ７が形成されており、解除操作子４の解除方向へのスライドによって、解除操作子４の先端の解除部４Ａを傾斜面Ａ７に沿って帽体Ａ１の外方へ案内するようにされている。
【００６２】
バネ部４Ｄは、解除操作子４の縁部に対して接離する方向に変形、及び変形から復帰するように一体形成されたＳ字状を呈する板バネ状のものであり、解除操作子４の解除操作によるスライドで、変形すると共に、この変形から復帰するときに生じる復帰力を、解除操作子４を解除操作前の状態に戻すための付勢力として作用させるようにされている。
【００６３】
また、バネ部４Ｄは、解除操作子４の解除操作前の状態（図２、図５、図６参照）において、ベースプレートＡ３に設けられた凹部Ａ３１に嵌合し、解除操作子４の解除操作後の状態（図７参照）において、凹部Ａ３１の上部に設定されたバネ受け部Ａ３１０に、バネ部４Ｄ自身の変形からの復帰力を利用して掛止されることによって、解除操作子４の解除操作後の状態が保持されるようになっている。
【００６４】
凹部Ａ３１は、バネ部４Ｄの先端側（操作体４Ｂ側）の曲部４０Ｄの先端部４１Ｄが接触し、解除操作子４の解除方向へのスライドによって、バネ部４Ｄを解除操作子４の縁に接近させて変形させる方向（操作体４Ｂから解除部４Ａへ向かって解除操作子４の縁に接近する方向）に傾斜する傾斜部Ａ３１１が形成されている。
【００６５】
すなわち、凹部Ａ３１に嵌合したバネ部４Ｄが、解除操作子４の解除方向へのスライドに伴なって、傾斜部Ａ３１１に沿って移動することによって、解除操作子４の縁部に対して接近する方向に変形すると共に、この変形からの復帰力が生じ、この復帰力によって、解除操作子４を解除操作前の位置に戻るようにスライドさせることができる。
【００６６】
また、解除操作子４の解除方向へのスライドに伴なって、解除部４ＡがベースプレートＡ３と被支持部１０との間に嵌入して、被支持部１０を帽体Ａ１の外方に押し拡げたときには、バネ部４Ｄが凹部Ａ３１から脱出してバネ受け部Ａ３１０に掛止されることで、解除操作子４の解除操作前の位置への復帰動作を一時的に阻止するように保持できる復帰阻止部として機能する（図７参照）。
【００６７】
バネ受け部Ａ３１０は、バネ受け部Ａ３１０と凹部Ａ３１との境となる角部から上方へ後方に向かって傾斜する傾斜状に形成されており、この傾斜状のバネ受け部Ａ３１０に、バネ部４Ｄの曲部４０Ｄが載り、この曲部４０Ｄがバネ部４Ｄの変形からの復帰力によって押し付けられて接触するようにされている。
【００６８】
すなわち、本実施形態の復帰阻止部は、バネ部４Ｄが凹部Ａ３１を脱出して、バネ部４Ｄの変形からの復帰力で、曲部４０Ｄをバネ受け部Ａ３１０に押し付けることで復帰阻止機能を発揮できるようにされている。
【００６９】
また、解除部４Ａの復帰に対しては、図９に示すように、シールド１を閉方向に回転させると、被支持部１０の縁部１０Ａが解除阻止部４Ｅに接触して、解除阻止部４Ｅを解除操作前の方向に押動する。
【００７０】
この解除阻止部４Ｅが押動されることで、バネ部４Ｄの曲部４０Ｄが、バネ受け部Ａ３１０の傾斜に沿って凹部Ａ３１方向に向かって移動しながら、解除操作子４方向へ変形すると共に、バネ受け部Ａ３１０を乗り越えるように脱出して傾斜部３１１に至り、且つ脱出時に変形から元に戻る付勢力によって、凹部Ａ３１に至る。
【００７１】
すなわち、被支持部１０の縁部１０Ａが解除阻止部４Ｅを解除操作前の方向に押動することで、曲部４０Ｄのバネ受け部Ａ３１０からの脱出、及びバネ部４Ｄの変形からの復帰力で生じる押し付け力による先端部４１Ｄの傾斜部Ａ３１１での移動に伴なって、解除操作子４を解除操作前の方向にスライドさせることができ、これによって、解除操作子４を解除操作前の状態に戻すことができる。
【００７２】
このように、解除阻止部４Ｅは、シールド１の全開位置以外で、シールド１を閉方向に回転させることで、被支持部１０の縁部１０Ａが接触し、接触した縁部１０Ａにより押動されることで、前述の復帰阻止部の阻止を解除する復帰阻止解除部として機能する。
【００７３】
また、本実施形態の復帰阻止解除部は、解除阻止部４Ｅと被支持部１０の縁部１０Ａとで構成され、被支持部１０の縁部１０Ａで解除阻止部４Ｅを押動することによって、阻止解除機能を発揮するものである。
【００７４】
一方、操作体４Ｂは、案内溝４０の前方端から突出した部分に設定されており、この操作体４Ｂを押動することによって、解除操作子４を解除方向へスライドさせることができる。
【００７５】
カバー支持部４Ｃは、図３、図８に示すように、シールド押えカバーＢ１の裏面（帽体Ａ１側の面）に、シールド押えカバーＢ１の厚み方向に沿って突設された掛止片Ｂ１０が嵌入する貫通口４０Ｃを確保する枠状に形成されている。
【００７６】
掛止片Ｂ１０は、この掛止片Ｂ１０の下端に被支持部１０側へ突出する突起Ｂ１１を有しており、この突起Ｂ１１がカバー支持部４Ｃの被支持部１０側の枠部４１Ｃに掛止されることによって、シールド押えカバーＢ１を帽体Ａ１に保持できるようにされている。
【００７７】
また、掛止片Ｂ１０は、解除操作子４の解除方向へのスライドに伴なってスライドすることによって、掛止片Ｂ１０の枠部４１Ｃに対する掛止が解除されて、貫通口４０Ｃから抜き取ることができるようにされている。
【００７８】
掛止片Ｂ１０を貫通口４０Ｃから抜き取ることによって、シールド押えカバーＢ１の下端側を帽体Ａ１から取り外すことができ、掛止片Ｂ１０を貫通口４０Ｃに嵌合することによって、シールド押えカバーＢ１の下端側を帽体に取り付けることができる。
【００７９】
枠部４１Ｃのシールド押えカバーＢ１側の面には、解除操作子４の解除方向へのスライド方向に向かって、解除操作子４の厚み方向に傾斜する傾斜面４２Ｃが形成されている。
【００８０】
貫通口４０Ｃは、ベースプレートＡ３に開口された貫通孔Ａ３０から露出しており、この貫通孔Ａ３０を介して掛止片Ｂ１０が抜き挿しするようにされている。
【００８１】
貫通口４０Ｃは、解除操作子４の解除操作前の状態では、貫通口４０Ｃの枠部４１Ｃと、枠部４１Ｃと対向する貫通孔Ａ３０の縁部Ａ４１との幅が、突起Ｂ１１の突出幅よりも狭い幅となるように、貫通孔Ａ３０と重なり合っている。
【００８２】
また、突起Ｂ１１の枠部４１Ｃに対する掛止状態を解除するときには、解除操作子４の解除操作に伴なってカバー支持部４Ｃがスライドすることによって、枠部４１Ｃが縁部Ａ４１から離れて、枠部４１Ｃと縁部Ａ４１との幅が突起Ｂ１１の突出幅よりも広い幅となるようにされている。
【００８３】
シールド押えカバーＢ１は、カバー支持部４Ｃに加えて、シールド押えカバーＢ１の上端側を支持するカバー支持部５Ｃによっても支持されている。
【００８４】
カバー支持部５Ｃは、シールド押えカバーＢ１の上端側の裏面（帽体Ａ１側の面）に、シールド押えカバーＢ１の厚み方向に沿って突設された掛止片Ｂ２０と、ベースプレートＡ３側にシールド押えカバーＢ１側に突設された掛止片５１Ｃとからなり、掛止片Ｂ２０が掛止片５１Ｃに対して掛止されることで、シールド押えカバーＢ１を支持するようにされている。
【００８５】
掛止片Ｂ２０は、この掛止片Ｂ２０の先端から被支持部１０側（下方側）へ突設された突起Ｂ２１を有し、掛止片５１Ｃは、この掛止片５１Ｃ先端から突起Ｂ２１側に突設された掛止突起５２Ｃを有しており、掛止突起５２Ｃに対して突起Ｂ２１を上方から引っ掛けるように、帽体Ａ１の厚み方向で対面させることで、掛止片Ｂ２０が掛止片５１Ｃに掛止され、突起Ｂ２１を上方に引き上げることで、掛止片５１Ｃに対する掛止片Ｂ２０の掛止が解除されるようになっている。
【００８６】
このような、カバー支持部５Ｃによって、シールド押えカバーＢ１の上端側を帽体Ａ１に支持できると共に、シールド押えカバーＢ１の上端側を帽体Ａ１から離脱させることができる。
【００８７】
すなわち、解除操作子４の解除操作前の状態では、突起Ｂ１１の枠部４１Ｃに対する掛止状態を保持することで、帽体Ａ１に対するシールド押えカバーＢ１の取り付け状態を保持することができ、解除操作子４の解除操作することで、カバー支持部４Ｃの掛止を解除し、更にカバー支持部５Ｃの掛止から離脱させることによって、帽体Ａ１からシールド押えカバーＢ１を取り外すことができる。
【００８８】
シールド押えカバーＢ１の取り付け時には、掛止片Ｂ２０を掛止片５１Ｃに掛止した状態で、掛止片Ｂ１０を貫通口４０Ｃへ嵌合させることによって、傾斜面４２Ｃに突起Ｂ１１の接触による帽体Ａ１方向への押圧力が作用する。
【００８９】
このとき、傾斜面４２Ｃを押圧する突起Ｂ１１に対して、傾斜面４２Ｃが自身の傾斜に沿って摺動することで、解除操作子４が解除方向へスライドし、このスライドに伴なって、枠部４１Ｃが縁部Ａ４１から離れて、枠部４１Ｃと縁部Ａ４１との幅が突起Ｂ１１の突出幅よりも広い幅となり、これによって、突起Ｂ１１を貫通口４０Ｃに嵌合することができる。
【００９０】
突起Ｂ１１を貫通口４０Ｃに嵌合すると、バネ部４Ｄの付勢力によって、解除操作子４が非解除方向にスライドすることで、枠部４１Ｃが縁部Ａ４１に近づくと共に、枠部４１Ｃと縁部Ａ４１との幅が、突起Ｂ１１の突出幅よりも狭い幅となり、これによって、突起Ｂ１１を枠部４１Ｃに掛止することができる。
【００９１】
解除阻止部４Ｅは、シールド１の通常の開閉動作範囲（図２〜図５参照）の全開状態（図４参照）を除く範囲（図２、図３参照）で、被支持部１０の縁部１０Ａに接触する段差状のものであり、解除操作子４の解除操作時に、シールド１の全開状態を除く範囲で縁部１０Ａに接触することによって、シールド１の全開位置以外で、解除操作子４のスライドを阻止できるようにされている。
【００９２】
また、解除阻止部４Ｅは、前述したように、シールド１を閉方向に回転させることで、被支持部１０の縁部１０Ａが接触し、接触した縁部１０Ａによる押動を行うことができるようにされている。
【００９３】
以上の構成とするヘルメットＡによると、シールド１の全開状態以外で、解除操作子４の解除操作を阻止することができ、シールド１の全開状態で解除操作子４の解除操作を行うことができる。
【００９４】
シールド１の全開状態で解除操作子４の解除操作をしたときに、解除部４Ａが被支持部１０を帽体Ａ１の外方へ押し拡げることで、可動案内部３０を支持レール部３１から抜き取ることができ、同時に、シールド押えカバーＢ１を帽体Ａ１から取り外すことができる。
【００９５】
図７に示すように、可動案内部３０が支持レール部３１から抜き取られた状態では、被支持部１０が押え板Ａ４と掛合片２０Ａとで保持されているので、シールド１の帽体Ａ１に対する取り付け状態を保持することができる。
【００９６】
すなわち、この解除操作だけでは、シールド１が帽体Ａ１に保持されてシールド１を取り外すことができず、この状態からシールド１を閉方向に回転させることでシールド１を外すようにしているため、シールド１の全開位置で解除操作子４の解除操作を誤って行った場合でも、シールド１の帽体Ａ１からの離脱を防止できる。
【００９７】
また、シールド１の全開位置で解除操作子４の解除操作を誤って行った場合でも、この位置からシールド１を開方向に回転させることで、解除操作子４を解除操作前の位置に戻すことができると共に、解除操作子４の解除操作によって押し拡げられた被支持部１０が元に戻り、可動案内部３０を支持レール部３１に嵌合させることができ、これによって、シールド１の通常の開閉動を行える状態にすることができる。
【００９８】
したがって、解除操作子４の解除操作が誤って行われたとしても、シールド１の帽体Ａ１に対する保持状態を保持することができると共に、シールド１の開閉動を問題なく行うことができる。
【００９９】
よって、本実施形態のヘルメットＡは、シールドの取り外し作業の容易性、及び迅速性を備えた上で、取り外し作業の確実性の更なる向上が達成できる。
【０１００】
本実施形態のヘルメットＡでは、シールド押えカバーＢ１を備えた形態として例示したが、本発明では、シールド押えカバーＢ１の有無を限定するものではなく、前述したような作用・効果を有する掛合片２０Ａ、押え板（連結保持部）Ａ４によって、通常のシールド１の開閉動作範囲、及び解除操作子４の解除操作での、被支持部１０の帽体Ａ１からの離脱が阻止されているため、シールド押えカバーＢ１がなくても、ヘルメットＡからのシールドの脱落を防止することができる。
【０１０１】
シールド押えカバーＢ１を備えないヘルメットＡである場合、カバー支持部４Ｃ、５Ｃ、及び掛止片Ｂ１０、Ｂ２０を省略することができる（図示せず）。
【０１０２】
次に、本発明に係るヘルメットＡ’の第２実施形態を図１０（ａ）〜図１０（ｄ）に基づいて説明する。このヘルメットＡ’は、シールド押えカバーＢ１を備えない形態のものである。尚、第１実施形態と重複する部位についても説明は、同符号を付すことにより省略する。
【０１０３】
ヘルメットＡ’のシールド支持装置Ｂは、シールド１の開閉動作が、第１ガイド部２の不動案内部２０を中心として回転する第１回転（図１０（ｂ）参照）と、第２ガイド部３の不動案内部（案内部）３２を中心として回転する第２回転（図１０（ｃ）参照）との、異なる二つの回転中心での回転で行われるようにしたものである。
【０１０４】
本実施形態の第１ガイド部２、及び第２ガイド部３は、夫々、ベースプレートＡ３に不動案内部２０、３２を備え、シールド１に、ガイドレール部２１と支持レール部３１を備えたものである。
【０１０５】
ガイドレール部２１は、第２回転時の可動案内部３０を中心として回転する回転軌跡に沿う方向に長い長孔状に形成され、支持レール部３１は、第１回転時の不動案内部２０を中心として回転する回転軌跡に沿う方向に長い長孔状に形成されている。
【０１０６】
ガイドレール部２１には、不動案内部２０に形成された掛合片２０Ａが、不動案内部２０の軸方向からガイドレール部２１に対して抜き挿しするための凹部２１Ａが形成されており、この凹部２１Ａを介して、掛合片２０Ａをガイドレール部２１に対して抜き挿しすることができるようにされている。
【０１０７】
不動案内部３２は、不動案内部２０と同じ方向に突設された軸状のものであり、この不動案内部２０に形成された掛合片２０Ａと同じ構成とする掛止片（連結保持部）３２Ａが形成されている。
【０１０８】
支持レール部３１には、ガイドレール部２１に形成された凹部２１Ａと同じ構成とする凹部３１Ｂ’が形成されており、この凹部３１Ｂ’を介して、掛合片３２Ａを支持レール部３１に対して抜き挿しすることができるようにされている。
【０１０９】
凹部３１Ｂ’は、シールド１の通常の開閉動作の範囲（図１０（ａ）〜図１０（ｃ）参照）では、掛合片２０Ａと正対しない位置、且つシールド１を取り外すための回転（図１０（ｄ）参照）時に、掛合片２０Ａと正対する位置に形成されおり、シールド１の通常の開閉動作の不動案内部に対するガイドレール部２１の連結状態を保持できるようにされている。
【０１１０】
凹部３１Ｂ’は、シールド１の全開位置のみで、掛止片３２Ａと正対する位置に形成されており、シールド１の全開状態で解除操作子４の解除操作を行って、被支持部１０を外方に押し拡げることで掛止片３２Ａから支持レール部３１を抜き取ることができるようにされている。
【０１１１】
解除操作子４は、解除部４Ａ、操作体４Ｂ、バネ部４Ｄを備えてベースプレートＡ３に対して解除操作によるスライドが自在となるように設けられ、シールド１の全開状態で、解除操作（上方へスライド操作）をすることによって、解除部４Ａが被支持部１０を外方へ押し拡げて、掛止片３２Ａから支持レール部３１を抜き取ることができるようにされている。
【０１１２】
バネ部４Ｄは、解除操作子４の前後両縁に形成された板バネ状のものであり、ベースプレートＡ３に設けられた凹部Ａ３２に嵌合し、解除操作子４の解除操作によるスライドで、変形すると共に、この変形から復帰するときに生じる復帰力を、解除操作子４を解除操作前の状態に戻すための付勢力として作用させることができるようにされている。
【０１１３】
解除部４Ａが被支持部１０を外方へ押し拡げている状態では、第１実施形態と同様に、解除部４Ａが被支持部１０とベースプレートＡ３との間で挟まれており、バネ部４Ｄの付勢力に抗して解除操作子４の解除操作前の状態への復帰を阻止している。
【０１１４】
シールド１を帽体Ａ１から取り外す動作は、基本的に、第１実施形態のシールド１の取り外し動作と同じ動作であり、シールド１の全開状態で解除操作子４を解除操作した後に、シールド１を閉動作させることで、不動案内部２０に形成された掛合片２０Ａを凹部に正対させ、この状態で被支持部１０を不動案内部２０の軸方向に沿って外方に移動させることで、不動案内部２０からガイドレール部２１を抜き取ることができる。
【０１１５】
シールド１を取り付けるには、不動案内部２０に形成された掛合片２０Ａに凹部を正対させた状態で挿し込むと共に、シールド１を、不動案内部２０を中心として開方向に回転させて、不動案内部３２に形成された掛合片３２Ａに凹部を正対させて挿し込むことで取り付けることができる。
【０１１６】
以上のような構成のシールド支持装置Ｂを備えたヘルメットＡ’によっても、第１実施形態のヘルメットＡと同じ効果を得ることができる。
【０１１７】
次に、本発明に係るヘルメットＡ’’の第３実施形態を図１１（ａ）〜図１１（ｃ）に基づいて説明する。このヘルメットＡ’’は、シールド押えカバーＢ１を備えない形態のものである。尚、第１実施形態と重複する部位についても説明は、同符号を付すことにより省略する。
【０１１８】
ヘルメットＡ’’のシールド支持装置Ｂは、シールド１の開閉動作が、第１ガイド部２の不動案内部２０を中心として回転すると共に、この回転の回転軌跡に沿うように形成された第２ガイド部３の支持レール部３１に沿って、第２ガイド部３の可動案内部３０が移動することによって行われるようにしたものである（図１１（ａ）、図１１（ｂ）参照）。
【０１１９】
第１ガイド部２は、被支持部１０に設けられた軸状の不動案内部２０と、不動案内部２０に同軸で回転自在に、且つ適合状に嵌合することで連結される形状としてベースプレートＡ３に開孔された連結孔部（連結案内部）２２とを備えたものであり、シールド１の開閉動作時に、連結孔部２２を中心として不動案内部２０が回転することで、シールド１の開閉動作を行うことができるようにされている。
【０１２０】
連結孔部２２には、不動案内部２０の掛合片２０Ａに対して抜き挿しされる凹部２２Ａが形成されており、この凹部２２Ａを掛合片２０Ａに抜き挿しすることによって、連結孔部２２に対して被支持部１０を着脱することができるようにされている。
【０１２１】
支持レール部３１の上端には、可動案内部３０の支持レール部３１に対する掛合を解除する掛合解除部３１０が、支持レール部３１の弧に連続するように形成されており、この掛合解除部３１０を介して、可動案内部３０を支持レール部３１に対する掛合を解除するようにされている。
【０１２２】
本実施形態の連結保持部は、支持レール部３１の前方縁の、掛合解除部３１０を除く範囲の全域に設けられた掛合板３１Ｃと、可動案内部３０に径方向に沿って突設された被掛合部３１Ｄとから構成されており、被掛合部３１Ｄが掛合板３１Ｃの裏面側（帽体側の面）に位置している状態で、可動案内部３０と支持レール部３１との連結を保持し、被掛合部３１Ｄが掛合板３１Ｃの表面側（シールド１側の面）に位置している状態で、可動案内部３０と支持レール部３１との連結を解除するようにされている。
【０１２３】
掛合板３１Ｃと被掛合部３１Ｄとによる連結の解除は、図１１（ｃ）に示すように、シールド１の全開位置で可動案内部３０が掛合解除部３１０に位置している状態で、解除操作子４を解除操作すると、被支持部１０が帽体Ａ１の外方へ押し拡げられると共に、可動案内部３０が掛合解除部３１０から抜き取られる。
【０１２４】
可動案内部３０を掛合解除部３１０からの抜き取りに伴なって、被掛合部３１Ｄが掛合板３１Ｃの表面側に位置に移動し、この状態からシールド１を、不動案内部２０を回転中心として閉方向へ動作させることで、被掛合部３１Ｄが掛合板３１Ｃの表面側に重なり合う位置に移動し、可動案内部３０の支持レール部３１に対する掛合が解除される。
【０１２５】
また、被掛合部３１Ｄが掛合板３１Ｃの表面側に重なり合う位置では、支持レール部３１から可動案内部３０を抜き取ることができる状態となっているが、掛合片２０Ａと凹部２２Ａとが正対する位置に移動させないと、不動案内部２０から連結孔部２２を抜き取ることができないようにされている。
【０１２６】
そのため、被掛合部３１Ｄが掛合板３１Ｃの表面側に重なり合う位置への移動は、掛合片２０Ａと凹部２２Ａとが正対する位置と対応する位置であり、被掛合部３１Ｄを掛合片２０Ａと凹部２２Ａとが正対する位置に移動させることによって、可動案内部３０を支持レール部３１から抜き取ることができると共に、不動案内部２０から連結孔部２２を抜き取ることができ、これによって、シールド１を帽体Ａ１から離脱することができる。
【０１２７】
解除操作子４は、ベースプレートＡ３に対して、左右の軸を中心として回転自在に軸支され、軸支部４０’を境として上方側に、且つ掛合解除部３１０と前後方向で正対する位置に解除部４Ａが設けられ、下方側に操作体４Ｂが設けられている。
【０１２８】
この解除操作子４は、操作体Ｂを前方へ引く動作に伴なって解除部４Ａが後方へ移動することで、解除部４Ａが被支持部１０を外方へ押し拡げることができるようにされている。
【０１２９】
シールド１を取り付けるには、不動案内部２０に形成された掛合片２０Ａに凹部２２Ａを正対させた状態で挿し込むと共に、可動案内部３０を支持レール部３１に挿し込み、シールド１を全開状態まで回転させて解除操作子４に至らせ、被支持部１０を帽体Ａ１方向に押動することで、被掛合部３１Ｄが掛合板３１Ｃの表面側から裏面側に移動し、この状態からシールド１を、不動案内部２０を中心として閉方向に回転させることによって、シールド１を帽体Ａ１に取り付けることができる。
【０１３０】
したがって、以上のような構成のシールド支持装置Ｂを備えたヘルメットＡ’’によっても、第１実施形態のヘルメットＡと同じ効果を得ることができる。
【符号の説明】
【０１３１】
Ａ：ヘルメット
Ａ１：帽体
Ａ２：前面開放部
Ｂ：シールド支持部
１：シールド
２：第１ガイド部
３：第２ガイド部
２０：不動案内部
２１：ガイドレール部
３０：可動案内部
３１：支持レール部
１０：被支持部
Ａ３：ベースプレート
Ａ４：押え板
２０Ａ：掛合片
２１０：掛合解除部
４：解除操作子
４Ａ：解除部
４Ｄ：バネ部
４Ｅ：解除阻止部
１０Ａ：縁部
Ｐ１：解除位置
Ａ’：ヘルメット
３２：不動案内部
３２Ａ：掛止片
Ａ’’：ヘルメット
２２：連結孔部
３１０：掛合解除部
３１Ｃ：掛合板
３１Ｄ：被掛合部
【図１】
0006275055.tif 000002
【図２】
0006275055.tif 000003
【図３】
0006275055.tif 000004
【図４】
0006275055.tif 000005
【図５】
0006275055.tif 000006
【図６】
0006275055.tif 000007
【図７】
0006275055.tif 000008
【図８】
0006275055.tif 000009
【図９】
0006275055.tif 000010
【図１０】
0006275055.tif 000011
【図１１】
0006275055.tif 000012